(57)【要約】【課題】設置高さが２メーター以上もの目隠しパネルは、目隠し性の必要から、パネル面が閉ざされた面であることが多く、したがって強風時に大きな荷重をうけることになり、支柱や、基礎を高強度にしておく必要があり、高価なものになっていた。【解決手段】本目隠し防風パネルの発明は、通常時はルーバーの両端に設けた伸縮部材で鉛直を維持させ、ある一定以上の強風になると、そのパネルのルーバーに受ける風を、伸縮部材が板状部材を制動させながらルーバーを可動させることで逃がし、相当な強風でも耐える目隠し性の高い防風フェンスを構築したところにある。【選択図】図１４
2014043685.tif 000002
【特許請求の範囲】
【請求項１】
支柱とパネルで構成される目隠し防風パネルにおいて、該パネルの鉛直方向に複数枚構成させたルーバーを可動自在に配設すると共に、ルーバー成形物断面上端部を略円形にし、かつその内周縁の一部に設けた固定部で一部及び又は全てのルーバーを同一板状部材に、可動自在に取着すると共に、その板状部材をパネル片端部及び又は両端部で、伸縮部材でもって制動していることを特徴とする目隠し防風パネル。
【請求項２】
請求項１において、鉛直に複数枚のルーバーを上から下に、両側にチドリ状に配設したことを特徴とする目隠し防風パネル。
【発明の詳細な説明】
【技術分野】
【０００１】
本発明は、目隠し性を備えた防風パネルに於いて、パネル面全体に構成したルーバーを可動自在とすることで、比較的弱いパネル枠材や支柱でも、強風時に損傷のない風除け目隠し防風パネルに関する。
【背景技術】
【０００２】
従来の目隠しパネルのその構成は、帯状のアルミニウム製形材のルーバーを複数枚、枠材に固定する形で構成していた。
【０００３】
そして、隣地との境界などに取り付けられるのであるが、その目的が防犯の為であったり、目隠しの為であったりするが、更に透光性や十分な通風性があると共に、近年多発するようになった、突風などの強風時にも充分な強度があるのが理想であるが、そのようになっていない目隠し柵が殆んどである。
【０００４】
しかしながら、支柱とパネルの構成で目隠し性と強度を考慮する必要があるが、使用しているアルミニウム製形材のルーバー同士が連結されていないことが多く、個々に帯状のルーバー単独で機械的強度を確保する必要があり、従って強風時でも耐えるようにするには、当然肉厚の厚い物であるとか、断面性能の大きいものを使わざるを得なかったのである。
【０００５】
特に突風などの強風時に目隠し柵として十分な強度を持たせるためには、パネルは勿論のこと、支柱や基礎においても強風に十分耐える高強度なものにする必要があり、高価なものになっていた。
【０００６】
特許文献1には、施工現場への搬入等の取り扱いが容易であり、且つ施工も正確に且つ能率よく行えると共に強度的にも優れ、更に、良好な外観を呈する目隠しフェンスの構造を提供する。とあり、支柱とこの支柱の前面に直列状に装着される複数個の取付具と、支柱の前面間に上下方向に並列状態に取付られる複数枚の羽根とからなり、この羽根は正面横長長方形状の前面板片の上下端縁に後方に向かって斜め下方に傾斜した傾斜片を突設していると共にこれらの上下傾斜片の後端に下方に向かって屈折した上下取付片を形成してなる。そして、左右に対向した支柱の前面に装着されている各取付具の前面間にこの羽根を架設状態に配設してその上下取付片を取付具の上向き開口の上下支持溝に差し込むことにより張設してフェンスを構成している。
【０００７】
しかし、このように構成された目隠しフェンスは、目隠し性と透光性並びに通風性があるが、通気性は一定であり、突風などの突然の強風時に強度的に充分な物にするためには、ルーバーの断面性能を大幅に上げるようにしたり、支柱を相当高強度のものにする必要があり高価な目隠し柵となるのである。
【０００８】
特許文献２には、隣り合うルーバー板を通気間隔の部分で連結出来て強度的に強固にできる。とあり、その構成は、上下横枠と左右の縦枠とで矩形状のフェンス枠を形成する。上下横枠間に亙るルーバー板を左右の縦枠間に複数枚並べて取り付ける。左右に隣合
うルーバー板間において一方のルーバー板の左右方向の一端と他方のルーバー板の左右方向の他端とを前後に通気間隔を隔てて重ねる。上下方向に亙る通気間隔の適所に一対の狭持板を配置する。隣り合うルーバー板の一端と他端とを一対の狭持板で狭持すると共に一対の狭持板をねじ具にて締結する。
【０００９】
しかし、このように通風の部分を持った目隠し柵ではあるが、ルーバーとなる板材を完全に固定していることから、突然の突風や、強風に対しての逃げが無く、まともに風圧を受けることになる。従って、その荷重を受けて倒れないようにするためには、極めて大きな断面の支柱が必要であるし、その基礎も極めて堅固なものが必要となる。
【先行技術文献】
【特許文献】
【００１０】
【特許文献１】特開２００４−３６２９８
【特許文献２】特開平０６−２４０９２８
【発明の概要】
【発明が解決しようとする課題】
【００１１】
本発明は、以上のような従来の欠点に鑑み、戸建て住宅、アパート、マンション等の隣地との境界などに使用される目隠し柵は、目隠し性を目的とした物であり、併せて通気性についても配慮したいのであるが、目隠し性が高くても風が通らなかったり光が遮られてしまったり、背の高い目隠し柵では、強風時にも充分な強度のあるものにする為には、とんでもない高強度の支柱や基礎が必要である。そこで目隠し性が高く通気性もあり、透光性の要求や突風にも対応できる目隠し防風パネルを提供せんとするものである。
【００１２】
更には、アルミニウム製形材やプラスチックスの押し出し形材の持っている成形性に着眼しつつ、パネルとしての機械的強度に目隠し性の機能を付与すると共に、使用部材の選定によっては、プラスチックの持つ透光性をも取り入れられて、一定以上の風荷重を極力受けない理想的な目隠し防風パネルを提供することを目的としている。
【課題を解決するための手段】
【００１３】
請求項１では、支柱とパネルで構成される目隠し防風パネルにおいて、該パネルの鉛直方向に複数枚構成させたルーバーを可動自在に配設すると共に、ルーバー成形物断面の上端部を略円形にし、かつその内周縁の一部に設けた固定部で一部及び又は全てのルーバーを同一板状部材に、可動自在に取着すると共に、その板状部材をパネル片端部及び又は両端部で、伸縮部材でもって制動していることを特徴とする目隠し防風パネルとした。
【００１４】
これは、ある一定以上の強風を受けても、ルーバーの帯状の片端部及び又は両端部に取り付けた制動システムが、風速例えば５メーター以上になると、板状部材の動きで全てのルーバーが開き、また風が収まると元の位置に戻るようにして、ルーバーが開いて風荷重を軽減させるようにしたのである。
【００１５】
この制動システムに使用される伸縮部材としたのは、トーションばねやゴムなどの材料が適当で、その引張力であるとか圧縮力を利用することができる。
【００１６】
請求項２では、請求項１において、鉛直に複数枚のルーバーを上から下に、両側にチドリ状に配設したことを特徴とする目隠し防風パネルとした。
【００１７】
これは、断面で鉛直に複数枚のルーバーを上から下に、両側にチドリ状になるように構成させることで、目隠し性を落さないで、通気性を確保することが出来る目隠し防風パネルを発明したのである。
【発明の効果】
【００１８】
以上の説明から明らかなように、本発明にあっては次に列挙する効果が得られる。
・  パネルに構成されたルーバーを可動しやすい状態に配設すると共に、そのルーバーの片外側及び又は両外側の端部に配設した制動システムで、可動部を板状部材で制御出来るようにしたので、強風時や突然の突風でも全てのルーバーが同時に綺麗に可動して、柳に風の如くに風を逃がすことが出来る。
【００１９】
・  風を逃がすことが出来るので、目隠し防風パネルの枠材の強度もそれほど上げないで済むし、
【００２０】
・  支柱や基礎も極めて簡素なものでも良いことになる。
【００２１】
・  当然、風が収まれば複数個の全てのルーバーが鉛直に並び目隠し性のあるパネルとなる。
【００２２】
・  ばねの強度を変えることで簡単に、設置場所にあった目隠し性と風荷重の設計が可能である。
【００２３】
請求項２では、更に次のような効果がある。
（６）  そのパネルに構成されたルーバーを両側にチドリ状に構成することで、断面で正面からルーバー間に目隠し性を落とすすき間を無くすことが出来る。
【００２４】
（７）断面で全てのルーバーを上から下に、両側にチドリ状に構成しておけば、常に通気性も良好な目隠し防風パネルとなる。
【図面の簡単な説明】
【００２５】
【図１】本発明目隠し防風パネルの設置状態の一般図である。
【図２】防風パネルの正面図である。
【図３】ルーバーの斜視図である。
【図４】横枠の部分斜視図である。
【図５】縦枠の部分斜視図である。
【図６】防風パネルのＡ−Ａ`部分断面図である。
【図７】図５の縦枠のコの字形の内側に配設した、板状部材とトーションばねによる制動システムの斜視図である。
【図８】トーションばねの斜視図である。
【図９】図３のルーバーが左右に回動した時の部分断面図である。
【図１０】請求項２の縦枠の部分斜視図である。
【図１１】請求項２の防風パネルのＡ−Ａ`部分断面図である。
【図１２】請求項２の制動システムで、板状部材とトーションばねの斜視図である。
【図１３】図１１のルーバーの弱風時の風の動きの説明の部分断面図である。
【図１４】図１１のルーバーの強風時のルーバーの動きの説明の部分断面図である。
【図１５】請求項２の超強風時のルーバー動きの説明部分断面図である。
【図１６】第２図の防風パネルのルーバーを縦に並べた防風パネルの正面図である。
【図１７】図３のルーバーのよこ断面図である。
【図１８】ルーバーと板状部材の装着部分の部分断面図である。
【図１９】ルーバーの固定部を継部材で構成した時の断面図である。
【図２０】図１９のパイプ端部の斜視図である。
【発明を実施するための形態】
【００２６】
以下本発明の実施の形態を図に基づいて説明する。
【実施例１】
【００２７】
図１は、目隠し防風パネル１の設置状態の一般図で、地上３メーターの目隠し防風フェンスを設置しようとするとき、支柱３を２メーターピッチで建て、その支柱間に概略寸法で、縦１メーター横２メーターの防風パネル２を３枚、段積して構成させる。この時の支柱の断面はＨ形鋼や、矩形のパイプなど色々な形状のもので構成される。又、支柱３は基礎ブロック４で固定される。
【００２８】
図２は、縦１メーター横２メーターの防風パネル２の正面図である。主要部材としてルーバー図３を、目隠し部材の主要部材として組み込まれるとき、５枚から２０枚程度のルーバー５で構成される。そしてこの略１メータ−から２メーターのルーバー５の両端部はパイプ部分を残して、ルーバー帯状板部８の両端部を３ミリから５０ミリメートル程度切り欠いて、パイプ部の両端部１０が突き出るように構成する。
【００２９】
図３は、防風パネル２の目隠し用の主要部材として使用されるルーバー５の斜視図である。このルーバー５はアルミニュウムやプラスチックス製の押出形材が適当であるが、スチール製のものであっても差し支えはない。カタチの例としてパイプ状部９の下に帯状となる部分をぶら下げた形状を例示した。この時のパイプ状部９の丸い部分の直径は、略１０ミリメートルから４０ミリメートル程度で、帯状板部８の幅は略３０ミリメートルから３００ミリメートル程度が適当である。
【００３０】
パイプ状部９の丸い部分の直径を、略１０ミリメートルから４０ミリメートル程度としたのは、１０ミリメートル以下だと固定部20の動きが小さい、従って板状部材18の動きも小さく、制動システムがスムースに動きづらい。４０ミリメートル以上になると、帯状板部８の面積が相対的に小さくなり、風を受けて反応することが弱くなる。またチドリ状にする時にも縦枠6の幅が大きくなりすぎる。
【００３１】
帯状板部８の幅を略３０ミリメートル以上としたのは、３０ミリメートル以下ではルーバーの風を受ける面積が小さく、風を受けて動くのには、ばらつきが生じるし、３００ミリメートル以上になるとパイプ部９も３０ミリメートル以上となり、ルーバーとして３３０ミリメートルを越すようなサイズになってくるので現実的ではない。
【００３２】
ルーバー５が縦１メーター横２メーターの防風パネル２の目隠し部材として組み込まれるとき、１０枚程度のルーバー５で構成されるのが適当であるが、それ以上でもそれ以下であってもいい。そしてこの１メーター〜２メーターのルーバー５の両端部及び又は片端部はパイプ部分を残して帯状板部８を３ミリから３０ミリメートル程度切り欠いて、パイプ状部９が両端部で突き出すように加工してパイプ端部１０を構成してもいいし、突き出す部分のみパイプ端部１０の代わりに、別に固定部20をもつ継部材を挿入してルーバー５に固着させても良い。
【００３３】
帯状板部８を３ミリから３０ミリメートル程度切り欠くとしたのは、３ミリメートル以下では縦枠6と帯状板部8とのすき間や、縦枠6の厚みなどを考えると最低３ミリメートル程度は切り欠く必要があるし、３０ミリメートル以上切り欠いて、制動システムと取着するのには違和感がある。
【００３４】
図４は、防風パネル２の横枠７の部分斜視図である。横枠7の概略寸法は矩形の各辺が２０ミリメートルから１５０ミリメートル程度の寸法で構成される。横枠７に設けたタッピングホール１２にコノ字形の縦枠６の上部と下部との左右四方で組みつけられる。
【００３５】
横枠7の矩形の各辺を２０ミリメートルから１５０ミリメートル程度の寸法としたのは、２０ミリメートル以下では横枠7としての強度に問題が出るし、１５０ミリメートル以上になると、枠材としてボリュームが有りすぎて、これも現実的ではない。
ここでは矩形の例で説明したが、矩形に限定するものでない。
【００３６】
図５は、防風パネル２の縦枠６の部分斜視図である。縦枠６の概略寸法はコノ字形の各辺が２０ミリメートルから１５０ミリメートル程度の寸法で構成され、長さは５０センチメートルから１メーター程度で構成される。この縦枠６はコノ字形が好ましいが、Ｌ形やそのほかの形であっても差し支えはない。
【００３７】
図６は、図２の防風パネルのＡ−Ａ`の部分断面図である。丸パイプの下に鉛直にぶら下がる形でルーバー５を配設する。この時ルーバー５とルーバー５の鉛直での隙間は０.５ミリメートルから１０ミリメートル程度にすると目隠し性が維持できるが、これより間隔が開くと目隠し性が損なわれる。しかし用途によって、例えば大まかに遠方からの目隠し性が維持できればいいような場面では、更に間隔を広げても良い。
【００３８】
防風パネル２の縦断面で鉛直にルーバー５を規則正しく並べるのは良いが、例えば０.５ミリメートルから１ミリメートル程度の隙間がどうしても必要であり、近距離からでは、１００ミリメートルの帯状のルーバー５を鉛直にぶら下げて構成したそのルーバー間に出来る１ミリメートルの隙間でも目隠し性を落とすことになる。この僅かであるが隙間が、信じられないがその先の姿を映し出すのである。
【００３９】
図７は、本発明の重要部分で、縦枠6の側面に構成される制動システムの斜視図である。縦枠６から突き出たパイプ端部１０の固定部20に板状部材１８を当てて、ビス用穴１９から図１８の固定用穴２０にビス１７で取着される。この時、図８のトーションばね１１の斜視図のような形状のばねを板状部材１８に取り付する。トーションばね11の片方を板状部材１８に装着させると共に、もう片方を縦枠６の一部に装着させる。これで制動システムの一部である板状部材１８が動くことは、ルーバー５が振り子式に左右に動いたことであり、強風を柳に風の如く逃がして、防風パネル２にかかる荷重を大幅に減らすことになるのである。
【００４０】
図８は、普通一般的に良く使用されるトーションばね11で、トーションばね11の上端部１６は制動システムの一部と装着され、もう一方のトーションばね枠材結合部１５は縦枠６に装着される。コイルバネ部１１は繰り返しの荷重に耐えるよう余裕のある強度の線径と材質を選ぶ必要がある。勿論、トーションばね１１を複数個使って制動させても良い。
【００４１】
図９は、図６のルーバー５を断面で左右に回動した動きの説明の部分断面図である。パイプ状部９の下に鉛直に帯状板部８がぶら下がる形のルーバー５が構成されているが、ルーバー５とルーバー５の鉛直での隙間は０.５ミリメートルから１０ミリメートル程度の隙間のある状態で構成して、強風時に左右どちらかに振り子の動きのように回動して、風を逃がすのである。この隙間に軟質の物質、例えばゴムや繊維質の物など、振り子の運動を邪魔しないものを取り付けて目隠し性を上げる工夫をしても良い。
【００４２】
図１０は、請求項２による縦枠６の部分斜視図である。穴１４はルーバー５のパイプ端部１０を通す為の穴である。タッピングホール用ビス穴１３は横枠７のタッピングホール１２にビス１７で固着するための穴である。ここでは丸穴１４は上から下に、両面にチドリ状になるように開孔されている。
【００４３】
図１１は、請求項２の防風パネル２のＡ−Ａ´の部分断面図である。図７では、防風パネル断面の上から下に鉛直に、順にルーバー５を構成していたが、この時のルーバー５とルーバー５の鉛直間の隙間は０.５ミリメートルから１０ミリメートルと、隙間をあける必要があり、近くで見た時にはどうしても目隠し性が損なわれる。しかし図１１のように断面で上から下に、両面にチドリ状となるようにルーバー５をぶら下げることで、弱い風の時でも通気性が良好であるし目隠し性の高い防風パネル２になるのである。
【００４４】
図１２は、請求項２の板状部材１８とトーションばね１１が組み込まれた制動システムの斜視図である。板状部材１８の板部に多数チドリ状に配設したビス用穴１９は、ルーバー５のパイプの一部に構成された固定部２０と回動自在になる形で取着されていて、強風を受けると板状部材１８がルーバー５の動きとともに、回動して風を逃がす。この時制動システムの一部であるトーションばね１１が伸縮して板状部材１８を制御するのである。強風の時はルーバー５が風を受けて断面でルーバー５が振り子のように動いて風を逃がす。この時トーションばね１１が伸びて、風が弱くなると共にトーションばね１１の引く力でルーバー５が、図１１のように鉛直にもどるのである。
【００４５】
図１３では、図１１のルーバー５のまわりの弱風時の風の動きの説明の部分断面図である。ルーバー５を両側にチドリ状にしていることで、右から左に、左から右にと風が流れて、空気の動きが殆んど遮られないで移動できるのである。
【００４６】
図１４では、図１１のルーバー５が強風を受けて左右に振り子のように回動したときの説明の部分断面図である。ルーバー５は断面でチドリ状に上から下に、ルーバー５間の水平での重なり＋ａが略１ミリメーター以上、出来れば５ミリメートルから10ミリメートル程度となるように構成すれば、目隠し性が高く強風時のルーバー５の動きも何ら支障なくスムースなものとなるのである。
【００４７】
図１５では、図１１のルーバー５の強風時の風の動きの説明の部分断面図である。この図では左から右に風の動きの図になっているが、右から左に、左から右にと風が殆んど遮られないで移動できるのである。
【００４８】
図１６では、図２ではルーバーが横並びになっているのに対してルーバー５を縦方向に並べた変形事例を図示している。縦枠６と横枠７とで組まれた枠内にルーバー５が配設されている。
【００４９】
図1７は、ルーバー５の断面図である。帯状板部8の上部にパイプ状部9が有り、パイプ状部９の一部には固定の為のタッピングホールである固定部２０が配設されている。
【００５０】
図1８では、本発明の重要部分のルーバー５と板状部材１８の固定部20の構造についての部分拡大断面図である。ルーバー５のパイプ状部９の一部に構成された固定部２０に板状部材１８に穴明けされたビス用穴１９を使って、ビス１７で取着する。この固定は回動自在に取着する必要から、ワッシャやブッシュ２４を使って回動自在になるようにするのである。
【００５１】
図１９では、ルーバー５のパイプ状部９のパイプ端部１０の代わりに別部材でルーバーの固定部２０を持つ継部材２１をルーバー５の端部に構成した事例である。この時ルーバー側にはかみ合わせのための突起２３を構成しておき、継部材２１には溝２２を構成しておくと、ルーバーが回動する時、自由な動きが制御でき確実に固定できるようになる。勿論かみ合わせ構造無しで、ビスなどで固着させても良い。
【００５２】
図２０は、図１９の斜視図である。ルーバー５のパイプ状部９の端部に継部材２１を構成している。継部材２１には固定部２０が配設されていて、そのほぼ円形の外周廻りに回動防止用となる溝２２が、パイプ状部９の内面に配設している突起２３と噛み合ってパイプ状部９の動きが即、継部材２１に伝搬されて固定部２０の円運動になる。パイプ状部９と継部材２１の固定法はこれ以外に色々と考えられるので、図２０の方法に限定するものではない。
【００５３】
このような構成にすることで、台風や突然の強風時にも柳に風で、ルーバー５が風を逃がす形で可動し、パネルや支柱３、基礎４に大きな荷重が掛らなくて済むので、極めて経済的な目隠し防風柵パネル１になるのである。
【符号の説明】
【００５４】
１  目隠し防風パネル
２  防風パネル
３  支柱
４  基礎ブロック
５  ルーバー
６  縦枠
７  横枠
８  帯状板部
９  パイプ状部
１０  パイプ端部
１１  トーションばね
１２  タッピングホール
１３  タッピングホール用ビス穴
１４  穴
１５  トーションばね枠材結合部
１６  トーションばね板状部材結合部
１７  ビス
１８  板状部材
１９  ビス用穴
２０  固定部
２１  継部材
２２  溝
２３  突起
２４  ブッシュ
【図１】
2014043685.tif 000003
【図２】
2014043685.tif 000004
【図３】
2014043685.tif 000005
【図４】
2014043685.tif 000006
【図５】
2014043685.tif 000007
【図６】
2014043685.tif 000008
【図７】
2014043685.tif 000009
【図８】
2014043685.tif 000010
【図９】
2014043685.tif 000011
【図１０】
2014043685.tif 000012
【図１１】
2014043685.tif 000013
【図１２】
2014043685.tif 000014
【図１３】
2014043685.tif 000015
【図１４】
2014043685.tif 000016
【図１５】
2014043685.tif 000017
【図１６】
2014043685.tif 000018
【図１７】
2014043685.tif 000019
【図１８】
2014043685.tif 000020
【図１９】
2014043685.tif 000021
【図２０】
2014043685.tif 000022